(57)【要約】      （修正有）【課題】電圧低下後も表示部の各針がどの時刻を表示する位置にあるかを自動的に認識し、時刻調整を行うアナログ式電子時計を提供する。【解決手段】アナログ電子時計１は、動力源７の供給電力の値が予め定められた電力値以下であると判定された場合、運針停止手段は表示部２０の指針２１の運針を停止させ、動力部１４は動力源７から制御部５への電力の供給を停止して補助動力源９から制御部５への電力の供給を行い、時刻更新手段は、補助動力源９から電力の供給をうけつつ、時刻データの更新を継続し、電力判定手段により、動力源７の供給電力の値が予め定められた電力値を超えると判定された場合、動力部１４は動力源７から制御部５への電力の供給を行わせるとともに補助動力源９から制御部５への電力の供給を停止させ、運針手段は表示部２０の指針２１の運針を行わせて時刻更新手段により継続して更新された時刻データに対応する時刻を指針に表示させる。【選択図】  図１
2006234592.tif 000002
【特許請求の範囲】
【請求項１】
指針の回動運針により時刻を表示する表示部と、時刻を示す時刻データに基づき指針を回動運針させる運針手段を備えた制御部と、制御部に電力を供給する動力源と補助動力源を有する動力部と、時刻データを格納する時刻記憶部と、時間間隔を認識して時刻変化を認識するとともに、時刻記憶部に格納された時刻データを前記時刻変化に応じて更新する時刻更新手段と、を備えたアナログ電子時計であって、
動力源から制御部へ供給される電力を検出する検出部と、検出部により検出された電力の値が予め定められた値以上であるか否かを判定する電力判定手段と、指針の回動運針を停止させる運針停止手段と、が設けられ、
電力判定手段により、動力源の供給電力の値が予め定められた電力の値以下であると判定された場合、運針停止手段は表示部の指針の回動運針を停止させ、動力部は動力源から制御部への電力の供給を停止して補助動力源から制御部への電力の供給を行い、時刻更新手段は、補助動力源から電力の供給をうけつつ、時刻データの更新を継続し、
電力判定手段により、動力源の供給電力の値が予め定められた電力の値を超えると判定された場合、動力部は動力源から制御部への電力の供給を行わせるとともに補助動力源から制御部への電力の供給を停止させ、運針手段は表示部の指針の回動運針を行わせて時刻更新手段により継続して更新された時刻データに対応する時刻を指針に表示させる、ように構成してなることを特徴とするアナログ電子時計。
【請求項２】
運針停止手段により表示部の指針の回動運針が停止された時点で時刻記憶部に格納されている時刻データからなる停止時刻データを記憶する停止時刻記憶部を備え、
電力判定手段により、動力源の供給電力の値が予め定められた電力の値を超えると判定された場合、停止時刻記憶部に記憶された停止時刻データの示す時刻と、時刻更新手段により継続して更新された時刻データの示す時刻との時間差に応じて、運針手段が表示部の指針の回動運針を行わせ、時刻更新手段により継続して更新された時刻データに対応する時刻を指針に表示させる、ように構成している請求項１記載のアナログ電子時計。
【請求項３】
予め定められた日付を示す基準日付データと、時刻の変動を行わせる時刻を示す基準時刻データと、基準時刻データの示す時刻を境にして変動させる時間を示す変動時間データとを対応させて記憶した変動日時記憶部を備えるとともに、
年月日を示すデータからなる日付データを格納する日付記憶部と、時刻データの更新に基づき日付の変化を認識して日付記憶部に格納された日付データを更新する日付更新手段と、日付更新手段により更新された日付データが変動日時記憶部に記憶された基準日付データに該当するか否かを判定する基準日付判定手段と、時刻データが基準時刻データに該当するか否かを判定する基準時刻判定手段とを備え、
境界日付判定手段により日付データは基準日付データに該当すると判定され、且つ境界時刻判定手段により時刻データは基準時刻データに該当すると判定された場合に、運針手段が、基準日付データに対応する変動時間データの示す時間に応じて指針を回動運針させるように構成している請求項１記載のアナログ電子時計。
【請求項４】
運針停止手段が表示部の指針の回動運針を停止させた時点で時刻記憶部に格納されていた時刻データからなる停止時刻データを記憶する停止時刻記憶部を備え、
予め定められた電力の値は、指針が表示部において予め定めた時刻を表示する位置に配置された後、次に予め定められた時刻を表示する位置に配置されるまで指針を回動運針させるために要する電力の値以上であり、
電力判定手段により、動力源の供給電力の値が予め定められた電力の値以下であると判定された場合、運針手段が表示部の指針を回動運針させ、指針が予め定められた時刻まで回動運針すると、運針停止手段が指針の回動運針を停止させるとともに、動力部が動力源から制御部への電力の供給を停止して補助動力源から制御部への電力の供給を行うように構成し、
運針停止手段により指針が回動運針を停止した後、電力判定手段により、動力源の供給電力の値が予め定められた電力の値を超えると判定された場合、運針手段が表示部の指針の回動運針を行わせて時刻更新手段により継続して更新された時刻データに対応する時刻を指針に表示させる前に予め定められた時刻を指針に表示させており、時刻データの示す時刻と、予め定められた時刻との時間差に応じて、運針手段が表示部の指針の回動運針を行わせるように構成している、ことを特徴とする請求項１又は２に記載のアナログ電子時計。
【請求項５】
外部よりデータを受信するデータ受信部と、データ受信部より受信した受信データの内容に応じて時刻記憶部に記憶された時刻データの内容を変更する記憶データ変更手段を備えた請求項４記載のアナログ電子時計。
【請求項６】
請求項５に記載のアナログ電子時計のデータ受信部に着脱自在に形成されるとともにデータ受信部に対してデータを送信可能なデータ送信部と、請求項５に記載のアナログ電子時計の時刻記憶部を初期化するデータ初期化手段と、外部から時刻を指定するデータを受信する電波受信手段と、を備えたことを特徴とするアナログ電子時計のデータ入力装置。
【発明の詳細な説明】
【技術分野】
【０００１】
本発明は、更新される時刻データに基づき指針を回動運針させることによって時刻表示を行うアナログ電子時計に関する。
【背景技術】
【０００２】
アナログ電子時計には、電波時計のように、単位時間を認識しつつ、制御部に設けられたマイコンによる制御に基づき時刻データを更新し、ギア等とこれらを駆動させるモータとを備えた駆動部に電気パルス信号を時刻データの内容に応じて送信して、駆動部に繋がる表示部の秒針、分針や時針といった指針を機械的に回動運針させることにより、時刻データの更新に応じて時刻を表示部に更新表示するものがある。
【０００３】
このようなアナログ電子時計は、その表示部に正確な時刻を表示するには、時刻データを更新するマイコンに、表示部の指針により表示されている時刻を正確に認識させる必要がある。
【０００４】
ここで、マイコンを設けた制御部は、通常、動力部を構成する電池などの電源から電圧を印加されることで電力の供給を受けて稼動しており、この印加された電圧値（印加電圧値）が、電池の消耗などといった電源の消耗により制御部の稼動に必要な電圧値（稼動電圧値）未満となると、制御部は稼動を停止して、指針は回動運針を停止する。
さらに、このとき、マイコンにより更新される時刻データは、最初に制御部に電圧を印加しようとする際の時刻デ―タにリセットされてしまう。
すると、電源の消耗により指針が回動運針を停止した際、表示部の指針の示す時刻と時刻データの示す時刻との間に時間のずれが生じてしまう。しかも、電源の交換などによって電源が大きな電力を供給できるようになり、印加電圧値が稼動電圧値以上となって制御部が稼動を再開しても、もはや制御部のマイコンは、上記時間のずれの程度を正確に認識できない虞がある。
このように、上記したアナログ電子時計には、電源の消耗などにより印加電圧値が稼動電圧値未満となって制御部が稼動を停止した後、電源の交換などにより印加電圧値が稼動電圧値以上となって制御部が稼動を再開しても、制御部のマイコンは表示部の指針の示す時刻を正確に認識できない虞があるという問題があった。
【０００５】
特許文献１には、時計本体部のギアに、ギアの支軸廻りにギアと共に回動するように光源受や磁性体などの被検出体を配設し、被検出体に対面する位置に光センサや磁力センサなどの検出体を配設し、検出体からの検出信号によってギアの回転状態を確定するように構成しているアナログ式電波時計が提案されている。
このアナログ式電波時計は、時刻調整時において、検出体による被検出体の検出信号からギアに配設された被検出体の位置を特定することによってギアの回転状態を確定するとともにギアと連動する各針の運針位置を確定し、マイコンに表示部の各針により表示される時刻を正確に認識させようとするものである。
【０００６】
【特許文献１】特開２００３−４３１６８号公報（第２頁）
【発明の開示】
【発明が解決しようとする課題】
【０００７】
特許文献１に記載されたアナログ式電波時計では、時計本体部を構成するギアの正確な位置に、被検出体を設ける必要がある。すなわち、例えば分針や時針を回動運針させるためのギアに被検出体を設ける場合、被検出体を設けた位置が僅かにずれるだけでも、１分以上のずれが容易に生じてしまう。このように、検出体と被検出体を設けるにあたり、極めて精密な技術が必要となるから、このアナログ式電波時計には、その製造が容易でないという問題がある。
しかも、検出体による検出信号からギアの回転状態を正確に割り出すソフトウェアを開発することが必要であるから莫大な開発費用を要し、低コストで製造することができないという問題がある。
【０００８】
本発明は、低コスト、容易且つ自動で、表示部の指針がどの時刻を表示する位置にあるかをより正確に制御部のマイコンに認識させることができるアナログ電子時計の提供を目的とする。
【課題を解決するための手段】
【０００９】
本発明は、（１）指針の回動運針により時刻を表示する表示部と、時刻データに基づき指針を回動運針させる運針手段を備えた制御部と、制御部に電力を供給する動力源と補助動力源を有する動力部と、時刻データを格納する時刻記憶部と、時間間隔を認識して時刻変化を認識するとともに、時刻記憶部に格納された時刻データを前記時刻変化に応じて更新する時刻更新手段と、を備えたアナログ電子時計であって、動力源から制御部へ供給される電力を検出する検出部と、検出部により検出された電力の値が予め定められた値以上であるか否かを判定する電力判定手段と、指針の回動運針を停止させる運針停止手段と、が設けられ、電力判定手段により、動力源の供給電力の値が予め定められた電力の値以下であると判定された場合、運針停止手段は表示部の指針の回動運針を停止させ、動力部は動力源から制御部への電力の供給を停止して補助動力源から制御部への電力の供給を行い、時刻更新手段は、補助動力源から電力の供給をうけつつ、時刻データの更新を継続し、電力判定手段により、動力源の供給電力の値が予め定められた電力の値を超えると判定された場合、動力部は動力源から制御部への電力の供給を行わせるとともに補助動力源から制御部への電力の供給を停止させ、運針手段は表示部の指針の回動運針を行わせて時刻更新手段により継続して更新された時刻データに対応する時刻を指針に表示させる、ように構成してなることを特徴とするアナログ電子時計、（２）運針停止手段により表示部の指針の回動運針が停止された時点で時刻記憶部に格納されていた時刻データからなる停止時刻データを記憶する停止時刻記憶部を備え、電力判定手段により、動力源の供給電力の値が予め定められた電力の値を超えると判定された場合、停止時刻記憶部に記憶された停止時刻データの示す時刻と、時刻更新手段により継続して更新された時刻データの示す時刻との時間差に応じて、運針手段が表示部の指針の回動運針を行わせ、時刻更新手段により継続して更新された時刻データに対応する時刻を指針に表示させる、ように構成している上記（１）記載のアナログ電子時計、（３）予め定められた日付を示す基準日付データと、時刻の変動を行わせる時刻を示す基準時刻データと、基準時刻データの示す時刻を境にして変動させる時間を示す変動時間データとを対応させて記憶した変動日時記憶部を備えるとともに、年月日を示すデータからなる日付データを格納する日付記憶部と、時刻データの更新に基づき日付の変化を認識して日付記憶部に格納された日付データを更新する日付更新手段と、日付更新手段により更新される日付データが変動日時記憶部に記憶された基準日付データに該当するか否かを判定する基準日付判定手段と、時刻データが基準時刻データに該当するか否かを判定する基準時刻判定手段とを備え、境界日付判定手段により日付データは基準日付データに該当すると判定され、且つ境界時刻判定手段により時刻データは基準時刻データに該当すると判定された場合に、運針手段が、基準日付データに対応する変動時間データの示す時間に応じて指針を回動運針させるように構成している上記（１）記載のアナログ電子時計、（４）運針停止手段が表示部の指針の回動運針を停止させた時点で時刻記憶部に格納されていた時刻データからなる停止時刻データを記憶する停止時刻記憶部を備え、予め定められた電力の値は、指針が表示部において予め定めた時刻を表示する位置に配置された後、次に予め定められた時刻を表示する位置に配置されるまで指針を回動運針させるために要する電力の値以上であり、電力判定手段により、動力源の供給電力の値が予め定められた電力の値以下であると判定された場合、運針手段が表示部の指針を回動運針させ、指針が予め定められた時刻まで回動運針すると、運針停止手段が指針の回動運針を停止させるとともに、動力部が動力源から制御部への電力の供給を停止して補助動力源から制御部への電力の供給を行うように構成し、運針停止手段により指針が回動運針を停止した後、電力判定手段により、動力源の供給電力の値が予め定められた電力の値を超えると判定された場合、運針手段が表示部の指針の回動運針を行わせて時刻更新手段により継続して更新された時刻データに対応する時刻を指針に表示させる前に予め定められた時刻を指針に表示させており、時刻データの示す時刻と、予め定められた時刻の時間差に応じて、運針手段が表示部の指針の回動運針を行わせるように構成している、ことを特徴とする上記（１）または（２）に記載のアナログ電子時計、（５）外部よりデータを受信するデータ受信部と、データ受信部より受信した受信データの内容に応じて時刻記憶部に記憶された時刻データの内容を変更する記憶データ変更手段を備えた上記（４）記載のアナログ電子時計、（６）上記（５）に記載のアナログ電子時計のデータ受信部に着脱自在に形成されるとともにデータ受信部に対してデータを送信可能なデータ送信部と、上記（５）に記載のアナログ電子時計の時刻記憶部を初期化するデータ初期化手段と、外部から時刻を指定するデータを受信する電波受信手段と、を備えたことを特徴とするアナログ電子時計のデータ入力装置、を要旨とする。
【発明の効果】
【００１０】
本発明のアナログ電子時計によれば、動力部が動力源と補助動力源とを備え、制御部が動力源から電力を受領できなくなる場合に、表示部の指針の回動が停止するとともに補助動力源から電力を受領して制御部の時刻記憶部に格納される時刻データが継続して更新される。したがって、アナログ電子時計では、動力部が後に再び動力源から予め定めた電力を制御部に供給できるようになった場合に、継続して更新されている時刻データの内容に応じた時刻を表示部に表示させることで、使用者が逐一時刻合わせを行う必要もなく、自動的に表示部に時刻を表示させることができるようになる。さらに、このアナログ電子時計では、表示部の指針の回動が停止した時点に対応する時刻データを継続して記憶しているため、検出体や被検出体などの特段の部材を設けることなく、低コスト、容易且つ自動で、表示部の指針がどの時刻を表示する位置にあるかをより正確に制御部のマイコンに認識させることができる。
【００１１】
さらに、このアナログ電子時計では、補助動力源は、表示部の指針を回動運針させるための電力の供給源として使用されずに、時刻データの更新維持のための電力の供給源として使用されるようにすることができる。すると、このアナログ電子時計では、補助動力源の電力の消費速度を低減でき、補助動力源の電力の容量がある程度小さくても長期間に亘り時刻データを継続して更新し続けることができる。したがって、このアナログ電子時計によれば、動力源の停止した状態で相当の長期間経過した後に動力源の交換が行われ、動力源から制御部へ電力が供給されるようになった場合でも、表示部に自動的に時刻を表示することができる。
【００１２】
また、本発明のアナログ電子時計によれば、日付を示す日付データを更新記憶するとともに、特定の日時になると変動時間データに基づいて、自動的に表示部に表示された時刻を変更することができる。したがって、このアナログ電子時計によれば、サマータイム制度などによって日付に応じて特定の時刻を境に時刻を変動させるような場合に、時刻の変動が生じる度に使用者が逐一時刻を変動させる操作を行う必要をなくすることができる。
【００１３】
本発明のアナログ電子時計によれば、動力部としての電池の消耗などによって電力を十分に制御部に対して供給できなくなる前に、その予め定めた時刻を表示部に停止表示するように構成することにより、後に消耗した電池と十分に電力を蓄えた電池との交換等によって制御部に対して再び動力部から十分な電力を供給できるようになる場合に、記憶部に格納された予め定めた時刻を制御部に呼び出させることで、表示部に表示されている時刻を制御部のマイコンに認識させることができる。
また、この本発明のアナログ電子時計によれば、検出体や被検出体などの特段の部材を設けることなく、低コスト、容易且つ自動で、表示部の指針がどの時刻を表示する位置にあるかをより正確に制御部のマイコンに認識させることができる。
【００１４】
本発明のアナログ電子時計によれば、動力源から制御部へ十分な電力を供給できるようになった際に、記憶部に格納された予め定めた時刻を制御部に呼び出させ、表示部に表示されている時刻を制御部に認識させることにより、十分に安定して電力を供給できる状態で表示部の指針の表示位置を制御部のマイコンに認識させることができる。
【００１５】
本発明のアナログ電子時計によれば、データ受信部を設けることで、外部に設けたデータ送信装置とデータ送信部を介して接続して、そのデータ送信装置からアナログ電子時計に記憶された時刻データを変更することができる。
【００１６】
本発明のアナログ電子時計に用いるデータ送信装置によれば、データ受信部を設けたアナログ電子時計に接続することにより、データ送信装置の電波受信手段が受信した正確な時刻を指定する受信データをアナログ電子時計のマイコンが受け取り、その受信データに基づいて時刻データを変更でき、より正確な時刻を表示部の指針に表示させるように調整することができる。
【発明を実施するための最良の形態】
【００１７】
本発明のアナログ電子時計の実施例について図面を参照しつつ詳細に説明する。
図１は、本発明のアナログ電子時計の実施例の１つ（第１実施態様という）を示す概略構成図である。
アナログ電子時計１は、時計本体部２と、時計本体部２に接続している制御部５と、制御部５に接続して電力を供給する動力部１４とからなる。
【００１８】
時計本体部２は、時計盤２０ａに秒針２１a、分針２１b、時針２１cからなる指針２１を設けた表示部２０と、指針２１をＡ方向に回動運針させる駆動部２４とを備え、駆動部２４は、秒針２１を運針させる第１駆動部２４a及び、分針２１bと時針２１cを運針させる第２駆動部２４bとからなり、各駆動部には、指針２１を連動させて運針をさせるモータや各種のギア（図示しない）が設けられている。
【００１９】
動力部１４は、電池からなる動力源７と補助動力源９を備え、動力源７から制御部５に供給される電力を検出する検出部１５と、からなる。
動力源７、補助動力源９としては、上記した電池に限定されず、蓄電池やコンデンサなどを適宜組み合わせて採用することができる。また、動力源７や補助動力源９の設置数は、特に限定されない。これら動力源７や補助動力源９の設置数は、電力供給の可能な時間や、制御部５の稼動に必要な電圧の大きさなどを考慮して適宜定められる。
検出部１５としては、動力部１４から制御部５に負荷される電圧の値を検出する検出体を採用できる。
【００２０】
制御部５は、水晶発振回路１０と、アナログ電子時計１の動作を制御するマイコン１１と、マイコン１１で演算処理を行うための各種プログラムや駆動部２４に送信される電気パルスの送信速度等を記憶格納するＲＯＭや、マイコン１１で演算処理したデータなどを記憶（格納）するＲＡＭなどの各種メモリからなる記憶部１２を備える。
【００２１】
記憶部１２のＲＯＭには、表示部２０の指針２１の回動運針を停止させるか否かを画する電力の値として予め定められた値に対応するデータが格納され、また記憶部１２のＲＡＭには、時刻記憶部が設けられ、時刻記憶部にはマイコン１１により時刻変化に応じて逐次生成される時刻データが格納される。さらに、記憶部１２のＲＡＭには、停止時刻記憶部が設けられて、指針の回動運針を停止する際に時刻記憶部に格納されている時刻データに基づく停止時刻データが格納される。
【００２２】
アナログ電子時計１において、マイコン１１は、動力部１４に設けた動力源７から供給される電力を受領しつつ、表示部２０に表示される時刻を次のようにして更新する処理（指針回動運針処理）を行う（図２）。
【００２３】
アナログ電子時計１において、記憶部１２のＲＡＭには、表示部２０に表示されている時刻と同期した時刻データが格納されており、まずマイコン１１は、この時刻データを呼び出す（Ｓ２０１）。
制御部５に設けたマイコン１１は、水晶発振回路から発振された所定周波数のクオーツ振動による信号を分周して形成される単位時間（例えば、１秒）を取得し、アナログ電子時計の作動開始時刻を基準として単位時間の経過ごとにカウントを行い、なされたカウントの回数を積算することによって時刻データを順次作製する（Ｓ２０２）。
たとえば、００時００分００秒にアナログ電子時計が作動を開始する場合、その時刻から、１秒経過するごとにカウントを行い、カウントの回数の積算値が５９回であればマイコン１１は００時００分５９秒を示す時刻データを作製し、また、カウントの回数の積算値が６２回であれば、マイコン１１はアナログ電子時計の作動開始から６２秒経過したことを認識し、００時０１分０２秒を示す時刻データを作製する。
マイコン１１は、この順次作製された時刻データである更新時刻データを、記憶部１２のＲＡＭに時刻データとして格納することにより、時刻データを更新する。
そして、アナログ電子時計１において、マイコン１１は、時刻データの更新に応じて、動力源７の電力に基づく電気パルスを駆動部２４に送信して表示部２０の指針２１を回動運針させ、表示部２０に表示される時刻を逐次更新する（Ｓ２０３）。
【００２４】
アナログ電子時計１は、動力源７からアナログ電子時計１の制御部５に供給される電力が予め定められた値以下となると、次のように指針の回動運針を停止する処理（表示部停止表示処理）を行う（図３）。
【００２５】
マイコン１１は、動力源７から制御部５に供給される電力が予め定めた値以下であるかを否かを判定する（Ｓ３０１）。ここで、上記予め定められた値は、動力源７が制御部５に与える電圧を基準にした値（以下、閾電圧値という。）として予め定められ、その閾電圧値の大きさは、制御部５を稼動するために必要な電圧値（稼動電圧値）以上の値から適宜選択される。そして、記憶部１２には、その閾電圧値を示すデータが予め格納されている。
【００２６】
マイコン１１は、検出部１５により測定された印加電圧値を示すデータを受信し、印加電圧値と記憶部１２に格納された閾電圧値とを比較する。これにより、マイコン１１は、動力源７から制御部５に負荷される電圧値（印加電圧値）が閾電圧値以下であるか否かを判定することができる。
【００２７】
マイコン１１は、印加電圧値が閾電圧値を超えていると判定する場合には、時刻データの更新に応じた指針２１の回動運針を継続させる。
マイコン１１は、印加電圧値が閾電圧値以下であると判定した場合には、マイコン１１は、記憶部１２に更新格納されている時刻データを停止時刻データとして記憶部１２の停止時刻記憶部に記憶させる（Ｓ３０２）とともに、動力源７の電力に基づく電気パルスによる指針２１の回動運針を停止させる（Ｓ３０３）。さらに、このとき、マイコン１１は動力源７と補助動力源９の間で電力供給源の切替を行う。この切替は、動力部１４の補助動力源９から制御部５へ電力の供給を行わせる（開始させる）とともに動力源７から制御部５への電力供給を遮断（停止）させる信号を、マイコン１１が動力部１４に送信することにより実施できる（Ｓ３０４）。
【００２８】
。
アナログ電子時計１では、表示部停止表示処理の後の処理（表示停止後処理）が、次のように実施される（図４）。
アナログ電子時計１では、動力源７から制御部５への電力の供給が停止しても、補助動力源９から制御部５への電力の供給が行われ、この補助動力源９から供給された電力に基づき、制御部５は次に示すように時刻データを継続して更新する処理を行う。
制御部５に設けたマイコン１１は、指針回動運針処理における時刻データの作成処理において単位時間を取得したのと同様にして単位時間を取得し、動力源７から制御部５への電力供給が停止した時刻において記憶部１２に格納されていた時刻データに対して、単位時間ごとのカウントの回数を順次積算することによって時刻データを順次作製する。例えば、単位時間が1秒であって、動力源７から制御部５への電力供給が停止した時点での時刻データが、８時１４分１０秒を示すデータであり、さらにカウント回数の積算値が７０回である場合、８時１４分１０秒から１分１０秒経過した８時１５分２０秒を示す時刻データが作製されている。
マイコン１１は、記憶部に記憶された時刻データの基づき、上記カウントを行うごとに時刻データ（継続更新時刻データ）を順次作成し、この継続更新時刻データを記憶部１２のＲＡＭに時刻データとして格納することにより、時刻データを継続して更新する（Ｓ４０１）。
【００２９】
また、このアナログ電子時計は、表示部停止表示処理が行われた後、再び動力源７から制御部５に対し、予め定めた値よりも大きな電力を供給できるようになると、すなわち動力源７から制御部５に対して閾電圧値よりも大きな電圧を負荷できるようになると、次に示すように、継続更新された継続更新時刻データに基づく時刻を表示部に表示させる（自動時刻調整表示処理）。
まず、アナログ電子時計１において、動力部１４の動力源７から制御部５に供給される電力が予め定められた値を超えているか否か判定する。この判定は、表示部停止表示処理においてなされたのと同様にして実施できる。すなわち、検出部１５が印加電圧値を測定し、この電圧値を示すデータをマイコン１１に送信し、マイコン１１が、送信されたデータと格納された閾電圧値を示すデータとを比較する。
マイコン１１が、印加電圧値は閾電圧値よりも大きいと判定した場合、すなわち動力部１４の動力源７から制御部５に供給される電力が予め定められた値を超えていると判定する場合（Ｓ４０２においてＹｅｓ）、制御部５への電力の供給源を補助動力源９から動力源７に切り替える（Ｓ４０３）。この切替は、マイコン１１が動力部１４に補助動力源９から制御部５へ電力の供給を停止させるとともに動力源７から制御部５への電力を供給させる信号を動力部１４に送信することにより実施できる
【００３０】
マイコン１１は、動力源７から電力を受領しつつ、記憶部１２の停止時刻格納手段に継続記憶された停止時刻データを呼び出すとともに、記憶部１２のＲＡＭに時刻データとして更新格納されている継続更新時刻データを呼び出し、停止時刻データに対応する時刻と継続更新時刻データに対応する時刻との間で、秒についての時間差（Ｔｓ１）と、時、分についての時間差（Ｔｍ１）を導出する（Ｓ４０４）。マイコン１１は、時間差Ｔｓ１、Ｔｍ１に基づき、秒針２１ａを回動運針させるために第１駆動部２４ａに送信する電気パルスの数（Ｄｓ１）と、分針２１ｂと時針２１ｃを回動運針させるために第２駆動部２４ｂに送信する電気パルスの数（Ｄｍ１）を導出する（Ｓ４０５）。マイコン１１は、第１駆動部２４ａ、第２駆動部２４ｂそれぞれについて導出されたパルス数Ｄｓ１、Ｄｍ１に応じた電気パルスを、夫々所定の速度で送信する（Ｓ４０６）。表示部２０の指針２１は、駆動部２４に伝達された電気パルスに応じて回動運針する。こうして、このアナログ電子時計１は、時刻更新手段により継続更新されて記憶部１２に格納されている時刻データである継続更新時刻データに基づいた時刻を、表示部２０に表示させることができ、自動的に時刻調整を行うことができる。
【００３１】
なお、このアナログ電子時計１は、自動時刻調整表示処理において、マイコン１１が第２駆動部２４ｂに対してのみパルス数Ｄｍ１の電気パルスを送信して時針２４ｃと分針２４ｂとを回動運針させ、秒針２４ａの回動運針を一時的に停止させるように構成してもよい。
この場合、自動時刻調整表示処理において、マイコン１１は更新される時刻データの指定する秒の値（Ｓｅ１）と停止時刻データの指定する秒の値（Ｓｅ２）を比較し、Ｓｅ１とＳｅ２の値が一致するまで秒針２４ａへの電気パルスの送信を停止し、秒針２４ａの回動運針を停止させる。そして、マイコン１１は、Ｓｅ１とＳｅ２の値が一致すれば、秒針２４ａを回動運針させる。
【００３２】
第１実施態様のアナログ電子時計は、予め定められた日付を示す基準日付データと、時刻の変動を行わせる時刻を示す基準時刻データと、基準時刻データの示す時刻を境にして変動させる時間を示す変動時間データとを対応させて記憶した変動日時記憶部を備えるとともに、年月日を示すデータからなる日付データを格納する日付記憶部と、時刻データの更新に基づき日付の変化を認識して日付記憶部に格納された日付データを更新する日付更新手段と、日付更新手段により更新された日付データが変動日時記憶部に記憶された基準日付データに該当するか否かを判定する基準日付判定手段と、時刻データが基準時刻データに該当するか否かを判定する基準時刻判定手段とを備え、境界日付判定手段により日付データは基準日付データに該当すると判定され、且つ境界時刻判定手段により時刻データは基準時刻データに該当すると判定された場合に、運針手段が、基準日付データに対応する変動時間データの示す時間に応じて指針を回動運針させるように構成してもよい（第２実施態様という）。
【００３３】
このアナログ電子時計１は、上記第１実施態様と同様に、動力部１４と制御部５と時計本体部２とからなるとともに、動力部１４と時計本体部２それぞれについても、上記第１実施態様同様に構成されている。
【００３４】
制御部５は、上記第１実施態様と同様に、ＲＯＭやＲＡＭなどのメモリを有する記憶部１２と、マイコン１１と、水晶発振回路１０とを備える。
記憶部１２のＲＯＭには、変動日時記憶部が設けられており、予め定められた日付を示す基準日付データと、表示部２０に表示される時刻の変動を行わせる時刻を示す基準時刻データと、基準時刻を境にして変動させる時間を示す変動時間データとを対応させて記憶している。また、記憶部１２のＲＡＭには、日付記憶部が設けられており、日付記憶部に日付データが記憶されている。
【００３５】
このアナログ電子時計１においては、マイコン１１は、順次作製されて記憶部１２に更新記憶される時刻データの示す時刻が午前００時００分００秒となることに同期して、次のように日付データを順次更新する。
マイコン１１は、記憶部１２のＲＡＭに記憶された日付データを呼び出し、午前００時００分００秒となることに同期して、記憶部１２に記憶された日付データに表される日付の翌日を示す更新日付データを順次作成し、この更新日付データを記憶部１２のＲＡＭに日付データとして格納することにより、日付データを更新する。
例えば、記憶部１２に記憶されている日付データが、２月１日を示すデータである場合、マイコン１１は、時刻データが午後１１時５９分５９秒の時刻を示すデータから午前００時００分００秒の時刻を示すデータに更新されると、これに同期して、マイコン１１は２月２日を示す更新日付データを作成する。そして、この更新日付データが、記憶部１２のＲＡＭに格納される日付データとして格納されることで、日付データが、２月１日を示すデータから２月２日を示すデータに更新される。
【００３６】
このアナログ電子時計１は、第１実施態様と同様にして、指針回動運針処理を行う。
【００３７】
またアナログ電子時計１は、第１実施態様と同様にして表示部停止表示処理を行い、再び動力源７から制御部５に電力を供給できるようになると、自動時刻調整表示処理を行う。また、このアナログ電子時計では、表示部停止表示処理の後、マイコン１１は、時刻データを継続して更新することと同期して、日付データも継続して更新する。
【００３８】
第２実施態様のアナログ電子時計１は、予め定めた日付や時刻（日時）に応じて表示部２０の指針２１によって表示される時刻を変動させる処理（時刻変動処理）を行う（図５）。
まず、アナログ電子時計１において、マイコン１１は、時刻データの更新に応じて作成される更新日付データ（Ｓ５０１）が記憶部１２の変動日時記憶部に記憶された基準日付データに該当しているか否かを判定する処理（基準日付判定処理）を行う（Ｓ５０２）。
【００３９】
基準日付判定処理は、例えば次のように実施できる。
記憶部１２のＲＯＭは、所定期間の年月日を示すデータ（年月日データ）を記憶する記憶領域Ａを設けるとともに、年月日データを予め順序立てて格納している。例えば、所定期間が２００５年１月１日から２０５５年１２月３１日までである場合、記憶部１２のＲＯＭは、２００５年１月１日を指定するデータを記憶領域Ａの１番のアドレスに格納し、２００５年１月２日を指定する年月日データを記憶領域Ａの２番のアドレスに格納し、順次２０５５年１２月３１日まで各日付を指定する年月日データを各アドレスに格納している。このとき、基準日付データの示す日付を指定する年月日データには、基準日付データに該当することを示すフラグデータが附属されている。
【００４０】
マイコン１１は、時刻データが午前００時００分００秒を示すデータに更新されることに同期して、記憶部１２に格納されている日付データに相当する年月日データを指定するアドレスの値に１加算し、加算により得られた値の示すアドレスから年月日データを取得する。マイコン１１は、更新日付データに対応する年月日データがフラグデータを附属しているものであるか否かを認識する。そして、マイコン１１は、年月日データがフラグデータを附属するものであることを認識した場合、更新日付データは基準日付データに該当すると判定する。
【００４１】
またアナログ電子時計１において、マイコン１１は、更新時刻データが記憶部１２のＲＯＭに設けられた変動日時記憶部に記憶された基準時刻データに該当しているか否かを判定する処理（基準時刻判定処理）を行う（Ｓ５０３）
【００４２】
この基準時刻判定処理は、基準日付判定処理と同様にして、例えば、次のように実施できる。
記憶部１２のＲＯＭは、各時分を指定するデータ（時分データ）を記憶する記憶領域Ｂを設けるとともに、時分データを予め順序立てて格納している。例えば、記憶部１２のＲＯＭは、００時００分を指定する時分データを記憶領域Ｂの１番のアドレスに格納し、００時０１分を指定する時分データを記憶領域Ｂの２番のアドレスに格納し、順次１１時５９分まで各時分を指定する時分データを各アドレスに格納している。このとき、基準時刻データの示す時刻を指定する時分データには、基準時刻データに該当することを示すフラグデータが附属されている。
また、記憶部１２のＲＯＭは、上記時分データの場合と同様にして、各秒を指定するデータ（秒データ）を記憶する記憶領域Ｃを設けるとともに、秒データを予め順序立てて格納している。例えば、記憶部１２のＲＯＭは、００秒を指定する秒データを記憶領域Ｃの１番のアドレスに格納し、０１秒を指定する秒データを記憶領域Ｃの２番のアドレスに格納し、順次５９秒まで各秒を指定する秒データを各アドレスに格納し、所定の秒データには基準時刻データに該当することを示すフラグデータが附属されている。
【００４３】
マイコン１１は、時刻データを更新して更新時刻データを作成するにあたり、記憶部１２に格納されている時刻データに対応する時分データと秒データを指定するアドレスの値に１加算したアドレスから時分データと秒データを取得する。このとき、マイコン１１は、更新時刻データに対応する時分データと秒データがフラグデータを附属しているものであるか否かを認識する。そして、マイコン１１は、時分データと秒データがフラグデータを附属するものであることを認識した場合、更新時刻データは基準時刻データに該当すると判定する。
【００４４】
マイコン１１は、基準日付判定処理において更新日付データは基準日付データに該当すると判定し（Ｓ５０２においてＹｅｓ）、且つ、基準時刻判定処理において更新時刻データは基準時刻データに該当すると判定する場合（Ｓ５０３においてＹｅｓ）、基準日付データに対応させつつ記憶部１２に格納されている変動時間データを呼び出すとともに、基準時刻データの示す時刻を境にして時刻を進めるか遅らせるかを識別する（Ｓ５０４、Ｓ５０５）、
【００４５】
この識別は、例えば、記憶部１２に格納される変動時間データの値（Ｔａ）に正負の符号を附しておき、マイコン１１が変動時間データの値を認識することにより具体的に実現できる。すなわち、マイコン１１は、変動時間データの値が正値（Ｔａ＞０）であると認識する場合、基準時刻データの示す時刻を境にして時刻を進める場合であることを認識し、変動時間データの値が負値（Ｔａ＜０）であると認識する場合、基準時刻データの示す時刻を境にして時刻を進める場合であることを認識する。
【００４６】
マイコン１１は、次に示すようにして、表示部の指針２１を回動運針させる処理（時間変動表示処理）を行う。
マイコン１１は、基準時刻データの示す時刻を境にして時刻を進める場合に該当すると認識する場合、時間変動表示処理において分針２１ｂと時針２１ｃを回動運針させる時間（Ｔｍ２）ならびに秒針２１ａを回動運針させて変動させる時間（Ｔｓ２）として変動時間データ（Ｔа）に示される時間を対応させて（Ｓ５０６）、秒針２１ａを回動運針させるために第１駆動部２４aに送信する電気パルスの数（Ｄｓ２）と、分針２１ｂと時針２１ｃを回動運針させるために第２駆動部２４bに送信する電気パルスの数（Ｄｍ２）を算出する（Ｓ５０８）。
例えば、変動時間データ（Ｔａ）が１時間２０分４０秒である場合、秒針２１ａを回動運針させる時間（Ｔｓ２）は４０秒であり、Ｄｓ２は、４０秒回動運針させた位置まで秒針２１ａを回動運針させるために要する電気パルスのパルス数となる。また、分針２１ｂ、時針２１ｃを回動運針させる時間（Ｔｍ２）は１時間２０分であり、Ｄｍ２は、１時間２０分回動運針させた位置まで分針２１ｂ、時針２１ｃを回動運針させるために要する電気パルスのパルス数となる。
【００４７】
そして、マイコン１１は、予め定めた電気パルスの送信速度で、パルス数Ｄｓ２、Ｄｍ２の電気パルスを出力する（Ｓ５０９）。これにより、表示部２０は、時刻データの示す時刻を変動時間データの示す時間相当分進めた時刻を表示する。
【００４８】
マイコン１１は、基準時刻データの示す時刻を境にして時刻を遅らせる場合に該当すると認識する場合、時間変動表示処理において分針２１ｂと時針２１ｃを回動運針させる時間（Ｔｍ２）ならびに秒針２１ａを回動運針させて変動させる時間（Ｔｓ２）として、回動周期時間から変動時間データ（Ｔａ）の示す時間の大きさとの差を演算して得られる値を対応させる（Ｓ５０７）。さらに、マイコン１１は、秒針２１ａを回動運針させるために第１駆動部２４aに送信する電気パルスの数（Ｄｓ２）と、分針２１ｂと時針２１ｃを回動運針させるために第２駆動部２４bに送信する電気パルスの数（Ｄｍ２）を算出する（Ｓ５０８）。
【００４９】
なお、回動周期時間とは、表示部２０の指針２１が特定の時刻を表示する位置に配置された後、次に同じ位置に配置されるまでに要する時間を示すものとする。例えば、時間・分について、００時００分の位置に配置された後、次に同じ位置に配置されるのが１２時間後である場合には、分針２１と時針２１ｃｂの回動周期時間は１２時間００分であり、秒について、００秒の位置に配置された後、次に同じ位置に配置されるのが６０秒後であるような場合、秒針２１ａの回動周期時間は６０秒であるものとする。
【００５０】
また、例えば、回動周期時間が時間と分について１２時間００分で、秒について６０秒であり、変動時間データ（Ｔａ）が-１時間２０分４０秒であるような場合、Ｔｍ２は、変動時間データ（Ｔａ）の示す時間の大きさ１時間２０分との時間差として１０時間４０分となる。さらに、Ｔｓ２は、６０秒の４０秒の時間差として２０秒となる。そして、Ｄｍ２は、分針２１ｂ、時針２１ｃを１０時間４０分回動運針させた位置まで移動させるために要する電気パルスのパルス数となり、Ｄｓ２は、秒針２１ａを２０秒回動運針させた位置まで移動させるために要する電気パルスのパルス数となる。
【００５１】
そして、マイコン１１は、予め定めた電気パルスの出力速度で、パルス数Ｄｓ２、Ｄｍ２の電気パルスを出力する（Ｓ５０９）。これにより、表示部２０の指針２１は、時刻データの示す時刻を変動時間データの示す時間相当分遅れた時刻を表示する位置に配置される。
【００５２】
なお、本発明のアナログ電子時計１では、マイコン１１は、時刻変動表示処理を行う間、時刻データの更新に同期した日付データの更新を停止するように構成してもよい。このように構成することで、時刻データの更新に同期して日付データを更新させた場合に生じる、日付データが誤って更新される虞を抑えることができる。例えば、回動周期時間が１２時間００分で、時刻データが午後１０時になる時に１時間遅らせる場合、マイコン１１は１１時間分指針２１の位置を進めることで１時間遅れた位置に配置させ、１１時間分指針２１の位置を進めたことを認識するが、このとき日付データの更新を時刻データの更新に同期させたままであると、日付データに１日分のずれを生じる虞がある。そこで、上記したように日付データの更新が停止すると、日付データの誤った更新の虞が低減する。
【００５３】
第３実施態様のアナログ電子時計は、サマータイムの開始や終了などにより時刻の変動が生じても、時刻の変動に応じた表示部２０の指針２１の位置を、マイコンに認識させつつ、容易に自動的に変更を生じさせることができる。
【００５４】
第１実施態様や第２実施態様のアナログ電子時計１は、外部より時刻調整データを入力する入力部と、入力部より入力された時刻調整データに応じて運針停止手段又は運針手段を作動させる運針調整手段と、を備えて構成してもよい（第３実施態様という）。
【００５５】
このアナログ電子時計１は、図６に示すように、入力部３０が設けられて制御部５のマイコン１１に接続されている他は第１実施態様と同様に構成されている。入力部３０は、特定の信号の送信状態または非送信状態を形成するスイッチで構成される。このアナログ電子時計１では、入力部３０のスイッチがＯＮ状態である場合には、入力部３０はマイコン１１への特定の信号の断続的な送信状態を形成し、入力部３０のスイッチがＯＦＦ状態である場合には、入力部３０はマイコン１１への特定の信号の断続的な非送信状態を形成する。この場合、特定の信号の断続的な送信状態の形成される時間が時刻調整データを構成する。例えば、特定の信号の送信状態が断続的にＮ秒間形成されると、それが（Ｎ×Ｅ）秒（Ｅは予め定められる正の実数）等の時間を指定する時刻調整データとなる。
【００５６】
このアナログ電子時計１では、マイコン１１は、使用者により入力部３０から入力された時刻調整データを受信する場合、時刻調整データの指定する時間を認識するとともに、その認識された時間に対応して指針２１を回動運針させるために必要な電気パルスのパルス数を演算する。そして、マイコン１１は、そのパルス数の電気パルスを予め定めた速度で送信して、表示部２０に表示された指針２１を回動運針させるとともに、指針２１の回動運針に同期して記憶部１２に格納された時刻データを順次変更する処理（運針調整処理）を行う。
【００５７】
マイコン１１は、時刻調整データを受信しないと、運針調整処理を行わず、指針回動運針処理を行う。
【００５８】
なお、入力部３０を構成するスイッチは、ＯＮ状態となることにより特定の信号の断続的な送信状態を形成して時針２１ｃ、分針２１ｂを回動運針させる第１スイッチと、ＯＮ状態となることにより特定の信号の断続的な送信状態を形成して秒針２１ａの回動運針を停止させる第２スイッチとを備えてなるように構成してもよい。
【００５９】
この場合、アナログ電子時計１は、次に示すように運針調整処理を行う。
マイコン１１は、第１スイッチのＯＮ状態の形成により時刻調整データを受信する場合、上記した運針調整処理と同様にして時針２１ｃと分針２１ｂを回動運針させる。
また、マイコン１１は、第２スイッチのＯＮ状態の形成により時刻調整データを受信する場合、時間調整データに指定される時間、表示部２０への電気パルスの送信を停止し、表示部２０の秒針２１ａの回動運針を停止させるとともに、指針２１の回動運針に同期して記憶部１２に格納される時刻データの変更も停止する。
【００６０】
このアナログ電子時計１は、運針調整処理により、記憶部１２に格納された時刻データの表す時刻と表示部に示される時刻とを一致させた状態を維持しつつ、外部からの操作により時間調整をすることができる。したがって、このアナログ電子時計１によれば、制御部５に表示部の指針の示す時刻を認識させるために、表示部に示された時刻を時刻データの示す時刻からどの程度変動させたかを示すデータを記憶する手段を別途設ける必要がなく、制御部５の構成を簡略化することができる。
【００６１】
第１実施態様のアナログ電子時計１は、電力判定手段により、動力源の供給電力の値が予め定められた電力の値以下であると判定された場合、運針手段が表示部の指針を回動運針させ、指針が予め定めた時刻まで回動運針すると、運針停止手段は指針の回動運針を停止させ、動力部が動力源から制御部への電力の供給を停止して補助動力源から制御部への電力の供給を行うように構成しており、第１の予め定めた電力の値は、指針が表示部において予め定めた時刻を表示する位置に配置された後、次に予め定めた時刻を表示する位置に配置されるまで指針を回動運針させるために要する電力の値以上であるように構成してもよい（第４実施態様という。）。
【００６２】
第４実施態様のアナログ電子時計１は、第１実施態様と同様の構成を有している。
第４実施態様のアナログ電子時計１において、記憶部１２のＲＯＭには、さらにアナログ電子時計１の制御部５に供給される電力が低下した際に表示部２０に停止表示される予め定めた時刻に対応するデータが格納されている。
【００６３】
第４実施態様のアナログ電子時計１では、第１実施態様と同様にして指針回動運針処理が行われる。
【００６４】
また、このアナログ電子時計１では、表示部停止表示処理は、次に示すように実施される（図７）。
アナログ電子時計１において、制御部５のマイコン１１は、次のように動力源７から制御部５に供給される電力が予め定められた値以下であるか否かについて識別する（Ｓ７０１）。この識別は、動力源７から制御部５に負荷される印加電圧値が閾電圧値以下であるか否かについての判定により実施される。
ここで、閾電圧値は、指針２１が表示部２０において予め定めた時刻を表示する位置に配置された後、次に再び予め定めた時刻を表示する位置に配置されるまで指針２１を回動運針させるために要する電力以上の電力を与えることができる電圧の値として、予め記憶部１２に記憶されている。
たとえば、アナログ電子時計１が、予め定めた時刻を１２時００分００秒としており、その時刻における表示部２０の秒針２１ａが６０秒、分針２１ｂが１時間、時針２１ｃが１２時間で３６０度回動運針するように構成される場合、表示部２０の指針２１は、予め定めた時刻である１２時００分００秒の配置位置を通過した後、１２時間後に同じ位置に配置される。この場合、閾電圧値は、表示部２０の指針２１を１２時間以上回動運針させるために要する電力を与えることができる電圧の値として予め算出され、その算出された値が記憶部１２に記憶されている。
【００６５】
次に、動力部１４の動力源７から制御部５に供給される電力が、例えば動力源７としての電池の消耗等により、予め定められた値以下となる場合、すなわち印加電圧値が閾電圧値以下となる場合（Ｓ７０１においてＹｅｓ）、マイコン１１は、予め定めた時刻のデータと、印加電圧値が閾電圧値以下となる時点において更新格納されている時刻データを記憶部１２より呼び出し、秒についての時間差（Ｔｓ３）と時、分についての時間差（Ｔｍ３）を導出する（Ｓ７０２）。マイコン１１は、時間差Ｔｓ３、Ｔｍ３に基づき、秒針２１aを回動運針させるために第１駆動部２４aに送信する電気パルスの数（Ｄｓ３）と、分針２１bと時針２１cを回動運針させるために第２駆動部２４bに送信する電気パルスの数（Ｄｍ３）を導出する（Ｓ７０３）。マイコン１１は、導出されたＤｓ３、Ｄｍ３に基づき、駆動部２４の第１駆動部２４a、第２駆動部２４bに対し、それぞれに応じたパルス数の電気パルスを、夫々所定の速度で送信する（Ｓ７０４）。
例えば、時刻データが、１１時４８分１０秒の時刻に基づくデータであり予め定めた時刻のデータが、１２時００分００秒の時刻に基づくデータである場合には、Ｔｍ３は、１２分であり、Ｔｓ３は５０秒となる。そして、時針２１ｃと分針２１ｂについて、電気パルス1パルスに対して１分が対応するような回動運針が行われる場合には、１２パルスの電気パルスが第２駆動部２４bに送信される。また、秒針２１ａについて、電気パルス２パルスに対して１秒が対応するような回動運針が行われる場合には、１００パルスの電気パルスが第１駆動部２４aに送信される。そして、これらのパルス数の電気パルスは、例えば１秒間に１０パルスの速度で駆動部２４へ送信される。
【００６６】
さらに、マイコン１１は、指針２１が予め定められた時刻を表示した状態でその回動運針を停止させる処理を行う。
マイコン１１は、各駆動部２４ａ、２４ｂに送信した電気パルスの数をカウントし、その数が駆動部２４ａ、２４ｂに送信する数（Ｄｓ３、Ｄｍ３）に到達すると、駆動部２４への電気パルスの供給を停止する（Ｓ７０５）。また、マイコン１１は、動力源７から制御部５への電力供給を停止するとともに補助動力源９から制御部５へ電力を供給させる（Ｓ７０６）。
こうして、アナログ電子時計１において、表示部２０の指針２１は、予め定めた時刻に応じた位置まで回動運針して停止する。
【００６７】
このアナログ電子時計は、回動運針を停止した後においては、第１実施態様と同様に動作する。
【００６８】
さらに、第１実施態様のアナログ電子時計１は、運針停止手段が表示部の指針の回動運針を停止させた時点で時刻記憶部に格納されていた時刻データからなる停止時刻データを記憶する停止時刻記憶部を備え、電力判定手段により、動力源の供給電力の値が予め定められた電力の値を超えると判定された場合、停止時刻記憶部に記憶された停止時刻データの示す時刻と、予め定めた時刻の時間差に応じて、運針手段が表示部の指針の回動運針を行わせ、予め定めた時刻を指針に表示させるように構成していてもよい（第５実施態様という。）。なお、第１実施態様のアナログ電子時計において上記した構成が備えられる場合、予め定めた電力の値は、制御部を稼動させるために要する電力の値以上であればよい。
【００６９】
第５実施態様のアナログ電子時計１は、第１実施態様と同様の構成を有する。
さらに、第５実施態様のアナログ電子時計においては、記憶部１２には、アナログ電子時計１の制御部５に供給される電力が予め定められた値を超えていると判定される際に表示部２０に停止表示される予め定めた時刻に対応するデータが格納されている。
【００７０】
第５実施態様のアナログ電子時計１は、第１実施態様と同様にして、指針回動運針処理、表示部停止表示処理を行う。
【００７１】
このアナログ電子時計１は、次のように、表示停止後処理を行う（図８）。
アナログ電子時計１では、第１実施態様と同様にして、動力源７から制御部５への電力の供給が停止しても、時刻データを継続して更新する処理を行う（Ｓ８０１）。
【００７２】
第５実施態様のアナログ電子時計では、表示部停止表示処理が行われた後、制御部５のマイコン１１は、次のように動力源７から制御部５に供給される電力が予め定められた値以下であるか否かについて識別する。この識別は、動力源７から制御部５に負荷される印加電圧値が閾電圧値以下であるか否かについての判定により実施される。そして、再び動力源７から制御部５に対し、予め定められた値よりも大きな電力を供給できるようになると、すなわち動力源７から制御部５に対して閾電圧値よりも大きな電圧を負荷できるようになると、マイコン１１が、動力部１４の動力源７から制御部５に供給される電力が予め定められた値を超えていると判定する。ただし、第５実施態様においては、閾電圧値は、稼動電圧値以上の値として予め定められていればよい。
そして、マイコン１１は、動力部１４の動力源７から制御部５に供給される電力が予め定められた値を超えていると判定する場合（Ｓ８０２においてＹｅｓ）、第１実施態様と同様にして、制御部５への電力の供給源を補助動力源９から動力源７に切り替える（Ｓ８０３）。
【００７３】
マイコン１１は、動力源７から電力を受領しつつ、記憶部１２に記憶された予め定められた時刻を指定するデータを呼び出すとともに、記憶部１２のＲＡＭに時刻データとして更新格納されている継続更新時刻データを呼び出し、継続更新時刻データに対応する時刻と予め定められた時刻との間で、秒についての時間差（Ｔｓ４）と、時、分についての時間差（Ｔｍ４）を演算する（Ｓ８０４）。マイコン１１は、時間差Ｔｓ４、Ｔｍ４に基づき、第１実施態様と同様にして、秒針２１ａを回動運針させるために第１駆動部２４ａに送信する電気パルスの数（Ｄｓ４）と、分針２１ｂと時針２１ｃを回動運針させるために第２駆動部２４ｂに送信する電気パルスの数（Ｄｍ４）を導出し（Ｓ８０５）、第１駆動部２４ａ、第２駆動部２４ｂそれぞれについて導出されたパルス数Ｄｓ２、Ｄｍ２に応じた電気パルスを、夫々所定の速度で送信する（Ｓ８０６）。表示部２０の指針２１は、駆動部２４に伝達された電気パルスに応じて回動運針する。
【００７４】
マイコン１１は、予め定められた時刻を示すデータと記憶部１２に更新記憶された時刻データとの差を演算して、予め定められた時刻と時刻データの示す時刻との時間差の値を、時間・分について、ならびに秒について取得する。マイコン１１は、取得した各値にもとづき、分針２１ｂ、時針２１ｃを回動運針させるために必要な電気パルスのパルス数と秒針２１ａを回動運針させるために必要な電気パルスのパルス数とを演算して、各駆動部２４ａ、２４ｂに予め定められた速度で送信し、時刻データの示す時刻を表示部２０の指針２１に表示させる。そして、マイコン１１は、第１実施態様と同様に、指針回動運針処理を行う。
【００７５】
第３実施態様から第５実施態様のアナログ電子時計は、外部よりデータを受信するデータ受信部と、データ受信部より受信した受信データの内容に応じて時刻記憶部に記憶された時刻データの内容を変更する記憶データ変更手段を備えてもよい（第６実施態様という）。
【００７６】
このようなアナログ電子時計１では、マイコン１１は、データ受信部３１より受信した受信データに基づき、記憶部１２に格納されている時刻データを変更する。例えば、マイコン１１が、００時００分００秒の時刻を内容とするデータを受信データとして受信する場合、その時刻を内容とするデータを時刻データとして記憶部１２に格納する。
【００７７】
なお、このアナログ電子時計１は、マイコン１１がデータ受信部３１より受信した受信データに基づき、日付データを変更するように構成してもよい。この場合、例えば、マイコン１１が、２００５年１月１日の日付を内容とするデータを受信データとして受信する場合、その日付を内容とするデータを日付データとして記憶部１２に格納する。
【００７８】
また第４実施態様や第５実施態様のアナログ電子時計１には、データ送信装置３２がデータ受信部３１に着脱自在に設けられてもよい（図９）。
このデータ送信装置３２は、データ送信部３３と、初期化回路を設けたデータ初期化手段３４と、電波受信手段３５とを備える。
データ送信装置３２のデータ送信部３３は、アナログ電子時計１のデータ受信部３１に対して着脱自在に設けられている。例えば、データ受信部３１は、データ入力端子で構成され、データ送信部３３は、データ入力端子と嵌合する形状に形成されたデータ出力端子で構成される。
【００７９】
このデータ送信装置３２の接続されたアナログ電子時計１では、次に示すように、マイコン１１が、電波受信手段３５の受信した時刻を指定するデータを受け取り、そのデータにより指定される時刻まで指針２１を回動運針させ、表示部２０に表示される時刻を調整する処理（指定時刻調整処理）を行う（図１０）。
【００８０】
まず、アナログ電子時計１において、データ受信部３１に対してデータ送信装置３２のデータ送信部３３が接続されると、マイコン１１は、駆動部２４に伝達された電気パルスを送信して予め定められた時刻を示す位置まで表示部２０の指針２１を回動運針させる処理を行う（Ｓ１００１）。この処理は、例えば次に示すように行われる。
【００８１】
マイコン１１は、時間・分について、ならびに秒について、予め定められた時刻と、データ送信装置の接続時点で記憶部に格納された時刻データの示す時刻との時間差（Ｔｍ５、Ｔｓ５）を演算する。例えば、予め定められた時刻が１２時００分００秒（００時００分００秒）で、時刻データの示す時刻が１０時２０分４０秒であるような場合、Ｔｍ５は１時間４０分の値となり、Ｔｓ５は４０秒の値となる。マイコン１１は、時間差Ｔｓ５、Ｔｍ５に基づき、秒針２１ａ、ならびに分針２１ｂと時針２１ｃを回動運針させるために第１駆動部２４ａ、第２駆動部２４ｂに送信する電気パルスの数（Ｄｓ５、Ｄｍ５）を導出し、導出されたパルス数Ｄｓ５、Ｄｍ５に応じた電気パルスを、夫々所定の速度で送信する。表示部２０の指針２１は、駆動部２４に伝達された電気パルスに応じて予め定められた時刻を示す位置まで回動運針する。
【００８２】
またアナログ電子時計１は、データ受信部３１に対してデータ送信装置３２のデータ送信部３３が接続されると、データ初期化手段３４の初期化回路がＯＮ状態となることにより、時刻データの内容が初期化される（Ｓ１００２）。なお、初期化とは、最初にアナログ電子時計１の制御部５に電力が供給される際の記憶部１２における時刻データの状態を形成することをいうものとする。例えば、最初に制御部５に電力が供給される際、記憶部１２における時刻データが予め定められた時刻を指定するデータである場合には、上記初期化により、時刻データは予め定められた時刻を示すデータとなっている。
【００８３】
次に、アナログ電子時計１では、マイコン１１が、電波受信手段３５の受信した受信データを、データ送信部３３及びデータ受信部３２を介して受け取り（Ｓ１００３）、受信データより時刻を指定するデータを認識する。マイコン１１は、このデータと初期化された時刻データとに基づき、表示部２０の指針２１の示す時刻と、受信データの指定する時刻との時間差を、時間・分について演算し（Ｔｍ６）、時間・分と同様に秒について演算する（Ｔｓ６）（Ｓ１００４）。
例えば、予め定められた時刻が００時００分００秒であり、時刻データの示す時刻が初期化によって予め定められた時刻となる場合において、受信データの指定する時刻が０１時１０分１５秒である場合には、Ｔｍ６は１時間１０分の値となり、Ｔｓ６は１５秒の値となる。
【００８４】
そして、マイコン１１は、時間差Ｔｓ６、Ｔｍ６に基づき、秒針２１ａを回動運針させるために第１駆動部２４ａに送信する電気パルスの数（Ｄｓ６）と、分針２１ｂと時針２１ｃを回動運針させるために第２駆動部２４ｂに送信する電気パルスの数（Ｄｍ６）を導出し（Ｓ１００５）、第１駆動部２４ａ、第２駆動部２４ｂそれぞれについて導出されたパルス数Ｄｓ２、Ｄｍ２に応じた電気パルスを、夫々所定の速度で送信する（Ｓ１００６）。表示部２０の指針２１は、駆動部２４に伝達された電気パルスに応じて受信データの指定する時刻を示す位置まで回動運針する。
【００８５】
データ送信装置３２と接続したアナログ電子時計１は、外部より精密な時刻を指定するデータを受信して、より精密な時刻の調整をすることが可能となる。
【００８６】
なお、データ送信装置３２は、データ初期化手段３３の初期化回路の作動を開始させるスイッチを備えて、使用者により該スイッチをＯＮ状態とされることにより指定時刻調整処理を開始するように構成してもよい。
【００８７】
また、上記データ送信装置３２は、第３実施態様のアナログ電子時計１に接続しても良い（第７実施態様という）。
第７実施態様のアナログ電子時計１では、指定時刻調整処理は、次に示すように行われる。
アナログ電子時計１では、マイコン１１は入力部３０のスイッチの切替により形成された時刻調整データを用いて、初期化された時刻データの指定する時刻まで表示部２０の指針２１を回動運針させる。そして、マイコン１１は、記憶部１２に格納された時刻データの内容を初期化する。マイコン１１は、時刻データの内容の初期化以降については、第６実施態様と同様の処理を実施する。
【００８８】
なお、第１実施態様から第７実施態様のアナログ電子時計は、標準時の異なる地域間で時刻調整を行う標準時調節手段を備えても良い（第８実施態様という）。例えば地域Ａ、地域Ｂ、地域Ｃ、地域Ｄにおいて標準時を異にする場合、標準時調節手段は、地域Ａ、Ｂ、Ｃ、Ｄを指定するデータの入力部と、予め場所Ａを基準にした標準時の時差を記憶した時差記憶部を備える。第８実施態様のアナログ電子時計１では、マイコン１１は、入力部より入力された地域を指定するデータに応じて、場所Ａを基準にした標準時の時差を示すデータを時刻記憶部より呼び出し、標準時の時差に応じて指針２１を回動運針させる。
【００８９】
本発明のアナログ電子時計は、第１実施態様から第８実施態様を適宜組み合わせて構成してもよい。
【００９０】
本発明のアナログ電子時計は、秒針、時針、分針の３針からなるものに限定されず、２針からなるものであってもよい。
【図面の簡単な説明】
【００９１】
【図１】本発明のアナログ電子時計の実施例を示す概略構成図である。
【図２】本発明のアナログ電子時計の指針回動運針処理を示すフローチャート図である。
【図３】本発明のアナログ電子時計における表示部停止表示処理を示すフローチャート図である。
【図４】本発明のアナログ電子時計の表示停止後処理を示すフローチャート図である。
【図５】本発明のアナログ電子時計の時刻変動処理を示すフローチャート図である。
【図６】第３実施態様のアナログ電子時計の実施例を示す概略構成図である。
【図７】本発明のアナログ電子時計における所定時刻表示処理を示すフローチャート図である。
【図８】第５実施態様のアナログ電子時計における表示停止後処理を示すフローチャート図である。
【図９】本発明のアナログ電子時計にデータ送信装置を設けた実施例を示す概略構成図である。
【図１０】本発明のアナログ電子時計における指定時刻調整処理を示すフローチャート図である。
【符号の説明】
【００９２】
１  アナログ電子時計
２  時計本体部
５  制御部
７  動力源
９  補助動力源
１０  水晶発振回路
１１  マイコン
１２  記憶部
１４  動力部
１５  検出部
２０  表示部
２１  指針
２１ａ  秒針
２１ｂ  分針
２１ｃ  時針
２４  駆動部
２４ａ  第１駆動部
２４ｂ  第２駆動部
３０  データ入力部
３１  データ受信部
３２  データ送信装置
３３  データ送信部
３４  データ初期化手段
３５  電波受信手段
【図１】
2006234592.tif 000003
【図２】
2006234592.tif 000004
【図３】
2006234592.tif 000005
【図４】
2006234592.tif 000006
【図５】
2006234592.tif 000007
【図６】
2006234592.tif 000008
【図７】
2006234592.tif 000009
【図８】
2006234592.tif 000010
【図９】
2006234592.tif 000011
【図１０】
2006234592.tif 000012